【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】
【請求項１】  以下の式Ｉ：
【化１】
2002527504.tif 000001
〔式中、ｎは０、１または２であり、ｑは１または２であり、Ｘは、CH2、C=O、Ｏ、Ｓ、NH、C=ONHまたはCH2OC=ONHであり、Ａは、式IIa〜ｉ：
【化２】
2002527504.tif 000002
の天然または非天然のアミノ酸であり、
Ｂは、水素原子、重水素原子、Ｃ1〜10直鎖または分岐のアルキル、シクロアルキル、フェニル、置換フェニル、ナフチル、置換ナフチル、２−ベンゾキサゾリル、置換２−オキサゾリル、(CH2)mシクロアルキル、(CH2)mフェニル、(CH2)m（置換フェニル）、(CH2)m（１−ナフチルまたは２−ナフチル）、(CH2)mヘテロアリール、ハロメチル、CO2R13、CONR14R15、CH2ZR16、CH2OCO（アリール）、CH2OCO（置換アリール）、CH2OCO（ヘテロアリール）、CH2OCO（置換ヘテロアリール）またはCH2OPO(R17)R18であり、ここでＺは酸素原子または硫黄原子であり；あるいはＢは、式IIIa〜ｃ：
【化３】
2002527504.tif 000003
の基であり；
Ｒ1は、フェニル、置換フェニル、ナフチル、置換ナフチル、ヘテロアリールまたは置換ヘテロアリールであり；
Ｒ2は、水素、アルキル、シクロアルキル、フェニル、置換フェニル、(CH2)mNH2、(CH2)mNHCOR10、(CH2)mN(C=NH)NH2、(CH2)pCO2R3、(CH2)pOR11、(CH2)pSR12、(CH2)mシクロアルキル、(CH2)mフェニル、(CH2)m（置換フェニル）、(CH2)m（１−ナフチルまたは２−ナフチル）、あるいは(CH2)mヘテロアリールであり、ここでヘテロアリールには、ピリジル、チエニル、フリル、チアゾリル、イミダゾリル、ピラゾリル、イソキサゾリル、ピラジニル、ピリミジル、トリアジニル、テトラゾリルおよびインドリルが含まれるが、それらに限定されず；
Ｒ3は、水素、アルキル、シクロアルキル、（シクロアルキル）アルキル、フェニルアルキルまたは置換フェニルアルキルであり；
Ｒ4は、アルキル、シクロアルキル、フェニル、置換フェニル、(CH2)mNH2、(CH2)mNHCOR10、(CH2)mN(C=NH)NH2、(CH2)pCO2R3、(CH2)pOR11、(CH2)pSR12、(CH2)mシクロアルキル、(CH2)mフェニル、(CH2)m（置換フェニル）、(CH2)m（１−ナフチルまたは２−ナフチル）、あるいは(CH2)mヘテロアリールであり、ここでヘテロアリールには、ピリジル、チエニル、フリル、チアゾリル、イミダゾリル、ピラゾリル、イソキサゾリル、ピラジニル、ピリミジル、トリアジニル、テトラゾリルおよびインドリルが含まれるがそれらに限定されず；
Ｒ4aは水素またはメチルであるか、あるいはＲ4とＲ4aは、一緒になって-(CH2)d-であり、ここでｄは２〜６の整数であり；
Ｒ5は、フェニル、置換フェニル、(CH2)pフェニル、(CH2)p（置換フェニル）、シクロアルキルまたはベンゾ縮合シクロアルキルであり；
Ｒ6は、水素、アルキル、シクロアルキル、フェニル、置換フェニル、(CH2)mシクロアルキル、(CH2)mフェニル、(CH2)m（置換フェニル）あるいは(CH2)m（１−ナフチルまたは２−ナフチル）であり；
Ｒ7は、水素、弗素、オキソ、アルキル、シクロアルキル、フェニル、置換フェニル、ナフチル、(CH2)mシクロアルキル、(CH2)mフェニル、(CH2)m（置換フェニル）、(CH2)m（１−ナフチルまたは２−ナフチル）、OR11、SR12あるいはNHCOR10であり；
Ｒ8は、水素、オキソ、アルキル、シクロアルキル、フェニル、置換フェニル、ナフチル、(CH2)mシクロアルキル、(CH2)mフェニル、(CH2)m（置換フェニル）あるいは(CH2)m（１−ナフチルまたは２−ナフチル）であり；
Ｒ9は、アルキル、シクロアルキル、(CH2)mシクロアルキル、(CH2)mフェニル、(CH2)m（置換フェニル）、(CH2)m（１−ナフチルまたは２−ナフチル）あるいはCOR10であり；
Ｒ10は、水素、アルキル、シクロアルキル、フェニル、置換フェニル、ナフチル、(CH2)mシクロアルキル、(CH2)mフェニル、(CH2)m（置換フェニル）、(CH2)m（１−ナフチルまたは２−ナフチル）、OR13あるいはNR14R15であり；
Ｒ11は、水素、アルキル、シクロアルキル、フェニル、置換フェニル、ナフチル、(CH2)mシクロアルキル、(CH2)mフェニル、(CH2)m（置換フェニル）あるいは(CH2)m（１−ナフチルまたは２−ナフチル）であり；
Ｒ12は、アルキル、シクロアルキル、フェニル、置換フェニル、ナフチル、(CH2)mシクロアルキル、(CH2)mフェニル、(CH2)m（置換フェニル）あるいは(CH2)m（１−ナフチルまたは２−ナフチル）であり；
Ｒ13は、アルキル、シクロアルキル、(CH2)mシクロアルキル、(CH2)mフェニル、(CH2)m（置換フェニル）あるいは(CH2)m（１−ナフチルまたは２−ナフチル）であり；
Ｒ14は、水素、アルキル、シクロアルキル、フェニル、置換フェニル、ナフチル、置換ナフチル、(CH2)mシクロアルキル、(CH2)mフェニル、(CH2)m（置換フェニル）あるいは(CH2)m（１−ナフチルまたは２−ナフチル）であり；
Ｒ15は水素またはメチルであるか、あるいはＲ14とＲ15は、一緒になって、モルホリンまたはＮ−置換ピペラジンなどの５員、６員または７員の炭素環式環あるいはヘテロ環式環を形成し；
Ｒ16は、フェニル、置換フェニル、ナフチル、置換ナフチル、ヘテロアリール、(CH2)mフェニル、(CH2)m（置換フェニル）、(CH2)m（１−ナフチルまたは２−ナフチル）あるいは(CH2)mヘテロアリールであり；
Ｒ17およびＲ18は独立して、アルキル、シクロアルキル、フェニル、置換フェニル、ナフチル、フェニルアルキル、置換フェニルアルキルまたは（シクロアルキル）アルキルであり；
Ｒ19およびＲ20は独立して、水素、アルキル、フェニル、置換フェニル、(CH2)mフェニルまたは(CH2)m（置換フェニル）であるか、あるいはＲ19とＲ20は、一緒になって-(CH=CH)2-であり；
Ｒ21は、水素、アルキル、フェニル、置換フェニル、(CH2)mフェニル、(CH2)m（置換フェニル）であり；
Ｒ22、Ｒ23およびＲ24は独立して水素またはアルキルであり；
Ｙ1は、CH2、(CH2)2、(CH2)3またはＳであり；
Ｙ2はＯまたはNR24であり；
Ｙ3はCH2、ＯまたはNR24であり；
ａが１である時にｂが１であることを条件として、ａは０または１であり、ｂは１または２であり；
ｃが１である時にａが０でありそしてｂが１であることを条件として、ｃは１または２であり；
ｍは１、２、３または４であり；
ｐは１または２である〕
により表わされる化合物、又はその医薬として許容される塩。
【請求項２】  Ｘが酸素である請求項１に記載の化合物。
【請求項３】  Ｘが硫黄である請求項１に記載の化合物。
【請求項４】  ＸがNHである請求項１に記載の化合物。
【請求項５】  ＸがCH2である請求項１に記載の化合物。
【請求項６】  ＸがC=Oである請求項１に記載の化合物。
【請求項７】  ＸがC=ONHまたはCH2OC=ONHである請求項１に記載の化合物。
【請求項８】  ｑが１である請求項１に記載の化合物。
【請求項９】  ｑが２である請求項１に記載の化合物。
【請求項１０】  Ａが、
【化４】
2002527504.tif 000004
である請求項１に記載の化合物。
【請求項１１】  Ｒ4が、低級アルキル、シクロアルキル、フェニル、置換フェニル、(CH2)nNH2、(CH2)mOR10、(CH2)mSR11、(CH2)nシクロアルキル、(CH2)nフェニル、(CH2)n（置換フェニル）あるいは(CH2)n（１−ナフチルまたは２−ナフチル）であり、そしてＲ4aが水素である請求項10に記載の化合物。
【請求項１２】  Ａが
【化５】
2002527504.tif 000005
である請求項１に記載の化合物。
【請求項１３】  Ｒ5が、フェニル、置換フェニル、(CH2)mフェニル、(CH2)m（置換フェニル）、シクロアルキルまたは２−インダニルである請求項12に記載の化合物。
【請求項１４】  Ａが、
【化６】
2002527504.tif 000006
である請求項１に記載の化合物。
【請求項１５】  Ｒ7が、水素、弗素、シクロアルキル、フェニル、置換フェニル、ナフチル、(CH2)nシクロアルキル、(CH2)nフェニル、(CH2)n（置換フェニル）、(CH2)n（１−ナフチルまたは２−ナフチル）、OR10あるいはSR11である請求項14に記載の化合物。
【請求項１６】  Ａが、
【化７】
2002527504.tif 000007
である請求項１に記載の化合物。
【請求項１７】  Ｒ8が、水素、オキソ、シクロアルキル、フェニル、置換フェニルまたはナフチルであり、そしてＹ1が、(CH2)、(CH2)2、(CH2)3またはＳである請求項16に記載の化合物。
【請求項１８】  Ａが、
【化８】
2002527504.tif 000008
である請求項１に記載の化合物。
【請求項１９】  ａが０である請求項18に記載の化合物。
【請求項２０】  Ｂが、水素、２−ベンゾキサゾリル、置換２−オキサゾリル、CH2ZR15、CH2OCO（アリール）またはCH2OPO(R16)R17であり、そしてＺがＯまたはＳである請求項１に記載の化合物。
【請求項２１】  Ｂが
【化９】
2002527504.tif 000009
である請求項１に記載の化合物。
【請求項２２】  Ｒ19およびＲ20が独立して、水素、アルキルまたはフェニルであるか、あるいはＲ19とＲ20は、一緒になって-(CH=CH)2-である請求項21に記載の化合物。
【請求項２３】  ＸがＯまたはNHであり、ｎが０または１であり、ｑが１であり、Ｒ1が置換フェニル、ナフチルまたは置換ナフチルであり、Ｒ2が水素、低級アルキル、(CH2)PCO2R3、(CH2)m（置換フェニル）、(CH2)m（１−ナフチルまたは２−ナフチル）あるいは(CH2)mテトラゾリルであり、そしてＲ3が水素または低級アルキルである請求項１に記載の化合物。
【請求項２４】  Ｒ1が１−ナフチルである請求項23に記載の化合物。
【請求項２５】  Ｒ1が２−ナフチルである請求項23に記載の化合物。
【請求項２６】  Ｒ1が置換ナフチルである請求項23に記載の化合物。
【請求項２７】  前記置換ナフチルが２−カルボキシ−１−ナフチルである請求項26に記載の化合物。
【請求項２８】  Ｒ1が置換フェニルである請求項23に記載の化合物。
【請求項２９】  前記置換フェニルが２−置換フェニルである請求項28に記載の化合物。
【請求項３０】  前記２−置換フェニルが（２−フェニル）フェニルである請求項29に記載の化合物。
【請求項３１】  Ａはアラニン、バニリン、ロイシン、シクロヘキシルアラニン、フェニルグリシンまたはｔ−ブチルグリシンである請求項23に記載の化合物。
【請求項３２】  Ｒ1が１−ナフチルである請求項31に記載の化合物。
【請求項３３】  Ｒ1が２−ナフチルである請求項31に記載の化合物。
【請求項３４】  Ｒ1が置換ナフチルである請求項31に記載の化合物。
【請求項３５】  前記置換ナフチルが２−カルボキシ−１−ナフチルである請求項34に記載の化合物。
【請求項３６】  Ｒ1が２−置換フェニルである請求項31に記載の化合物。
【請求項３７】  前記２−置換フェニルが（２−フェニル）フェニルである請求項36に記載の化合物。
【請求項３８】  Ｒ2が(CH2)2CO2R3であり、そしてｎが０である請求項23に記載の化合物。
【請求項３９】  Ｒ2が(CH2)mテラゾリルであり、そしてｍが０である請求項23に記載の化合物。
【請求項４０】  薬学的に許容できる担体と組み合わせて請求項１に記載の化合物を含む薬剤組成物。
【請求項４１】  自己免疫疾患を治療するための請求項40に記載の薬剤組成物。
【請求項４２】  炎症性疾患を治療するための請求項40に記載の薬剤組成物。
【請求項４３】  神経消耗性疾患を治療するための請求項40に記載の薬剤組成物。
【請求項４４】  虚血性障害（injury）に関連した疾病を患う患者における虚血性障害を予防するための請求項40に記載の薬剤組成物。
【請求項４５】  造血細胞集団（population）を増大（expand）させるか、あるいは前記造血細胞集団の生存を強化（enhance）するための、請求項40に記載の薬剤組成物。
【請求項４６】  前記細胞集団は細胞移入（transfusion）用の顆粒白血球、単核白血球、赤血球、リンパ球または血小板である請求項45に記載の薬剤組成物。
【請求項４７】  将来の移植処置の目的でドナーから摘出された器官または器官から得られた隔離細胞の生存性を延長するための、請求項40に記載の薬剤組成物。
【請求項４８】  前記器官が無損傷（intact）器官である、請求項47に記載の薬剤組成物。
【請求項４９】  前記隔離細胞が膵島細胞、ドーパミン作動性ニューロン、血球または造血細胞である、請求項47に記載の薬剤組成物。